(57)【要約】【課題】集合玄関機における受話音の音量を調整するための作業が容易であり、また、部外者に勝手に音量調整されることがないインターホンシステムを提供することを目的とする。【解決手段】集合住宅の各住戸に設置されている住宅情報盤と、集合玄関に設置され、マイクとスピーカとを具備する通話手段を備えている集合玄関機と、上記集合玄関機と上記住宅情報盤とのインターホン通話を制御する制御装置とによって構成されているインターホンシステムにおいて、操作手段と、上記スピーカが出力する音声の音量を制御する可変増幅手段と、上記インターホン通話時に上記操作手段を介して入力された入力信号に応じて、上記可変増幅手段の増幅率を調整する増幅率調整回路とを上記集合玄関機が有することを特徴とするインターホンシステムである。【選択図】図２
2010239222.tif 000002
【特許請求の範囲】
【請求項１】
集合住宅の各住戸に設置されている住宅情報盤と、集合玄関に設置され、マイクとスピーカとを具備する通話手段を備えている集合玄関機と、上記集合玄関機と上記住宅情報盤とのインターホン通話を制御する制御装置とによって構成されているインターホンシステムにおいて、
操作手段と；
上記スピーカが出力する音声の音量を制御する可変増幅手段と；
上記インターホン通話時に上記操作手段を介して入力された入力信号に応じて、上記可変増幅手段の増幅率を調整する増幅率調整回路と；
を上記集合玄関機が有することを特徴とするインターホンシステム。
【請求項２】
請求項１において、
上記操作手段は、住戸番号を入力するテンキーであり、
上記増幅率調整回路は、上記インターホン通話時に、操作された上記テンキーに基づいて、上記可変増幅手段の増幅率を調整する回路であることを特徴とするインターホンシステム。
【請求項３】
請求項２において、
上記集合玄関機は、インターホン通話開始前に呼出住戸に対応する住戸番号を表示する表示手段を有し、上記表示手段は、インターホン通話開始後に、住戸番号の表示に代えて、通話音量のレベルを表示する手段であることを特徴とするインターホンシステム。
【発明の詳細な説明】
【技術分野】
【０００１】
本発明は、インターホンシステムに関する。
【背景技術】
【０００２】
集合住宅に、インターホンシステムが設置されている。このインターホンシステムは、各住戸に設置されている住宅情報盤と、管理室に設置されている管理室親機と、集合玄関に設置されている集合玄関機とによって構成され、各機器間では、インターホン通話を行うことができる（たとえば、特許文献１参照）。
【０００３】
上記インターホンシステムにおいて、集合玄関に訪問者が来て、ある住戸を呼び出す場合、まず集合玄関機で、所望の住戸番号を指定し、呼出ボタンを押す。これによって、上記所望の住戸番号の住宅情報盤が呼び出され、この呼び出された住宅情報盤側で居住者が通話ボタンを押すと、上記訪問者と居住者との間で、インターホン通話を行うことができる。
【０００４】
ところで、集合玄関機でインターホン通話する場合、訪問者の状況または集合玄関機周囲の環境に応じて、インターホン通話における通話音量を増減調整できるようにすることが望ましい。つまり、訪問者の聴力が低下し、または集合玄関機の周囲に雑音源があれば、その程度に応じて、通話音量を大きくしなければ、インターホン通話の際、居住者の声が訪問者に聞こえ難い。逆に、訪問者の耳がよく、しかも、集合玄関機周囲に雑音源がなければ、通話音量を大きくする必要がない。
【０００５】
このために、従来例では、集合玄関機に内蔵されている通話回路内の送話アンプ回路に可変抵抗器を設け、この可変抵抗器の抵抗値を、ドライバー等の工具を使用して調整することによって、集合玄関機のスピーカから発生する音量を増減調整する（たとえば、特許文献１参照）。
【先行技術文献】
【特許文献】
【０００６】
【特許文献１】特開２００２−１８５６２５号公報
【発明の概要】
【発明が解決しようとする課題】
【０００７】
上記従来例において、集合玄関機の内部に設けられている通話回路の可変抵抗器の抵抗値を調整するには、集合玄関機の外装パネルを取り外す必要がある。
【０００８】
しかし、上記従来例では、集合玄関機のスピーカから発生する音量を増減調整するには、集合玄関機の外装パネルを取り外し、音量を調整した後に、上記外装パネルを取り付ける必要があり、音量調整するための作業が煩雑であるという問題がある。
【０００９】
上記従来例において、音量調整するための作業を容易にするには、音量調節用の可変抵抗器の抵抗値を調節する調整つまみの一部または全部を、上記外装パネルの外に露出するように設計することが考えられる。
【００１０】
しかし、このように、音量調節用の可変抵抗器の調整つまみの一部または全部を、上記外装パネルの外に露出させると、誰でも音量を調節することができるので、部外者が勝手に音量調整し、大き過ぎる音量に変更されたり、逆に、聴き取り難い程度に小さな音量に変更されることがあるという問題がある。つまり、実情に即しない音量に調整されることがあるという問題がある。
【００１１】
また、他の従来例として、集合玄関機の周囲の音をマイクでひろって、その雑音レベルを判断して送話アンプの調整を行う集合玄関機もあるが、この場合は、利用者の個々の聴力に対応していないという問題がある。
【００１２】
本発明は、集合玄関機における受話音の音量を調整するための作業が容易であり、また、部外者に勝手に音量調整されることがないインターホンシステムを提供することを目的とする。
【課題を解決するための手段】
【００１３】
本発明は、集合住宅の各住戸に設置されている住宅情報盤と、集合玄関に設置され、マイクとスピーカとを具備する通話手段を備えている集合玄関機と、上記集合玄関機と上記住宅情報盤とのインターホン通話を制御する制御装置とによって構成されているインターホンシステムにおいて、操作手段と、上記スピーカが出力する音声の音量を制御する可変増幅手段と、上記インターホン通話時に上記操作手段を介して入力された入力信号に応じて、上記可変増幅手段の増幅率を調整する増幅率調整回路とを上記集合玄関機が有することを特徴とするインターホンシステムである。
【発明の効果】
【００１４】
本発明によれば、集合玄関機における受話音の音量を調整するための作業が容易であり、また、部外者に勝手に音量調整されることがないという効果を奏する。
【図面の簡単な説明】
【００１５】
【図１】本発明の実施例１であるインターホンシステム１００を示すブロック図である。
【図２】集合玄関機１０の構成を示すブロック図である。
【図３】実施例１の動作を示すフローチャートである。
【図４】集合玄関機１０における表示部１２の表示例を示す図である。
【発明を実施するための形態】
【００１６】
発明を実施するための形態は、以下の実施例である。
【実施例１】
【００１７】
図１は、本発明の実施例１であるインターホンシステム１００を示すブロック図である。
【００１８】
インターホンシステム１００は、集合住宅の各住戸に設置されている住宅情報盤と、集合玄関に設置され、マイクとスピーカとを具備する通話手段を備えている集合玄関機と、集合玄関機と上記住宅情報盤とのインターホン通話を制御する制御装置とによって構成されているインターホンシステムである。
【００１９】
つまり、インターホンシステム１００は、住戸内に設けられている住宅情報盤ＪＢ１０１、…、ＪＢ３０３、…と、集合玄関に設けられている集合玄関機１０と、上記住宅情報盤と集合玄関機１０との間におけるインターホン通話を制御する制御装置２０と、管理室親機３０とを有する。なお、管理室親機３０は、管理室に設けられ、住宅情報盤ＪＢ１０１、…、ＪＢ３０３、…と基本的には同様な機能を有し、制御装置２０に接続されている。
【００２０】
これらの機器は、制御信号線Ｌｃと音声信号線Ｌａとを介して接続され、必要に応じて映像信号線にも接続される。
【００２１】
１０１号室の住戸用として、住宅情報盤ＪＢ１０１が設けられ、３０３号室の住戸用として、住宅情報盤ＪＢ３０３が設けられている。また、住宅情報盤ＪＢ１０１に、玄関子機Ｃ１０１が接続され、住宅情報盤ＪＢ３０３に、玄関子機Ｃ３０３が接続されている。
【００２２】
図２は、集合玄関機１０の構成を示すブロック図である。
【００２３】
集合玄関機１０は、制御手段１１と、表示手段１２と、操作手段１３と、送受信手段１４と、通話手段１５と、マイク１６と、可変増幅器１７と、スピーカ１８と、増幅率調整回路１９とを有する。
【００２４】
制御手段１１は、ＭＰＵ（マイクロプロセッサ）等から構成され、集合玄関機１０の全体を制御する。
【００２５】
表示手段１２は、インターホン通話開始前に呼出住戸に対応する住戸番号を表示し、また、インターホン通話開始後に、通話音量のレベルを表示するように、表示を切り換える。
【００２６】
操作手段１３は、住戸番号を入力するテンキーと、呼出ボタンとを有する。送受信手段１４は、制御信号を送受信する。通話手段１５は、音声信号を送受信する。マイク１６は、集合玄関機１０の周囲の音声を入力する。
【００２７】
可変増幅手段１７（可変増幅回路）は、たとえば電子ボリューム等から構成され、スピーカ１８が出力する音声の音量を制御する増幅回路の一例であり、制御手段１１または増幅率調整回路１９からの電気的な信号によって、制御される。スピーカ１８は、音声を出力する装置である。
【００２８】
なお、上記電子ボリュームは、マイコン（制御部）からの信号によって、電気的に音量を制御する手段である。また、上記電子ボリュームの代わりに、複数の抵抗を備えた回路において、電気的にその抵抗を切り換えることによって、音量を調整する回路を使用するようにしてもよい。
【００２９】
増幅率調整回路１９は、インターホン通話時に、操作された操作手段１３のテンキーに基づいて、可変増幅手段１７の増幅率を調整する回路である。この増幅率は、テンキーの「１」から「９」までの数値に対応し、インターホン通話時に操作されるテンキーの数値の大きさに応じて、その増幅率を増減させる。
【００３０】
次に、上記実施例の動作について説明する。
【００３１】
図３は、実施例１の動作を示すフローチャートである。
【００３２】
Ｓ１で、訪問先住戸を呼び出す。つまり、集合玄関機１０から操作手段１３のテンキーを使用して、たとえば７０３号室の住戸番号「７０３」を指定する。
【００３３】
図４は、集合玄関機１０における表示手段１２の表示例を示す図であり、図４（１）は、表示手段１２が住戸番号を表示している例を示す図である。
【００３４】
集合玄関機１０の表示手段１２には、図４（１）に示すように、その呼出住戸である住戸番号「７０３」が表示される。この後に、Ｓ２で、操作手段１３に設けられている呼出ボタンを押すと、「７０３」号室の住宅情報盤に送受信手段１４から呼出信号が出力される。
【００３５】
そして、Ｓ３で、住宅情報盤側で通話ボタンが操作されると、Ｓ４で、その住宅情報盤と集合玄関機１０との間で、音声用の通話信号線Ｌａを介してインターホン通話ができるように、制御装置２０が制御する。
【００３６】
図４（２）は、表示手段１２が、通話音量を表示している例を示す図である。
【００３７】
「７０３」号室の住宅情報盤と集合玄関機１０との間で、音声用の通話信号線Ｌａを介してインターホン通話ができるようになると、制御手段１１は、集合玄関機１０の表示手段１２を、図４（２）に示すように、通話音量「５」を表示するように切り換える。
【００３８】
つまり、表示手段１２における表示が、住戸番号の表示「７０３」から、通話音量のレベル表示「５」に切り換えられる。なお、通話開始時の通話音量レベルは、中間レベルである「５」に設定されている。
【００３９】
ところで、表示部１２の上部には、表示部１２が現在何を表示しているかを示す機能表示部１２Ｃがあり、Ｓ５で「呼出住戸を指定」から「通話音量を設定可」に切換表示され、受話音量を設定できる旨が表示される。この表示を見て、訪問者は、受話音量を設定できることを認識できる。
【００４０】
このように、インターホンの通話開始前と開始後とで、１つの表示手段１２に住戸番号と音量レベルとが切換表示されるので、表示手段１２を２つ設ける必要がなく、また、訪問者にとっては、現在の音量レベルを確実に認識することができる。
【００４１】
通話が開始された後に、Ｓ６で、訪問者は、表示手段１２に表示されている音量を確認し、操作手段１３のテンキーを操作することによって、音量レベル、つまりスピーカ１８から出力される受話の音量を調整することができる。スピーカ１８からの音声は、テンキーの「１」〜「９」に応じて９段階に調整可能であり、Ｓ７で、通話中に押されたテンキーの値に応じて、可変増幅手段１７の増幅率が調整される。そして、Ｓ８で、通話が終了すれば、終了となる。
【００４２】
上記のように、テンキーを操作すれば、スピーカ１８が出力する音声の音量を調整できるので、個人差や集合玄関の環境に応じて、スピーカ１８からの音声が小さいものであっても大きな音にして聞き取り易くすることができる。訪問者は、スピーカ１８から出力される音声が小さい場合には、「５」よりも大きい数字、たとえば「７」をテンキーで指定する。これによって、増幅率調整回路１９が、スピーカ１８に接続された可変増幅手段１７の増幅率（ゲイン）を、テンキーの数値「７」に応じて上げ、音量を大きくする。これによって、訪問者は、インターホン通話中に最適な音量に調整することができる。
【００４３】
上記実施例では、インターホン通話時に操作手段１２を介して入力された入力信号に応じて、音量調節が行われるので、部外者が勝手に音量調整するという弊害がない。
【００４４】
そして、上記訪問者による通話が終了すると、音量が「５」になるように、増幅率調整回路１９は、その増幅率を元の状態に戻す。つまり、増幅率調整回路１９は、その通話中のみに、その増幅率を変化させ、音量調節が行われ、訪問者による次の通話が開始されると、音量調整がリセットされ、初期の通話音量である音量「５」から通話が開始される。
【００４５】
なお、操作手段１３は、住戸番号を入力するテンキーの例である。増幅率調整回路１９は、インターホン通話時に、操作されたテンキーに基づいて、可変増幅手段の増幅率を調整する回路の例である。また、集合玄関機１０は、インターホン通話開始前に呼出住戸に対応する住戸番号を表示する表示手段を有する。表示手段１２は、インターホン通話開始後に、住戸番号の表示に代えて、通話音量のレベルを表示する手段の例である。
【００４６】
なお、実施例では、テンキーの全てのキーを使用することによって、受話の音量を変化させるようにしたが、任意のキーを２つだけ使用するようにしてもよい。たとえば、テンキーの「５」を中心とした、上下のキー「８」とキー「２」とだけを使用して、音量の大きさを調整するようにしてもよい。
【００４７】
この場合、キー「２」が現在の音量を小さくする方向に制御するキーであり、キー「８」が現在の音量を大きくする方向に制御するキーとなる。キー「２」とキー「８」のスイッチ部分には、その存在を認識しやすくするための手段として、音量を設定できる状態になっているときに点滅するＬＥＤなどを設けるようにしてもよい。
【００４８】
また、受話音量だけでなく、送話音量も調整するようにしてもよい。
【符号の説明】
【００４９】
１００…インターホンシステム、１０…集合玄関機、１１…制御手段、
１２…表示手段、１３…操作手段、１５…通話手段、１７…可変増幅手段、
１８…スピーカ、１９…増幅率調整回路。
【図１】
2010239222.tif 000003
【図２】
2010239222.tif 000004
【図３】
2010239222.tif 000005
【図４】
2010239222.tif 000006